(57)【要約】  【課題】  印字用紙等の対象物に設けられた無線タグに対して簡単に情報の書き込みや読み出しのできる無線タグ通信装置を提供する。  【解決手段】  印字用紙１００に取り付けられた無線タグ１０１に対して情報の書き込み及び読み出しを行うスタンプ１から成る無線タグ通信装置において、無線タグ１０１と通信を行う通信部１８と、通信部１８を介して無線タグ１０１に対して情報の書き込みまたは読み出しを行う制御部１２と、無線タグ１０１に書き込む情報または無線タグ１０１から読み込んだ情報を記憶する記憶部１４と、印字用紙に押圧されて印影を形成する印面部４と、使用者が把持して対象物に印面部４を押圧する把持部５とを備えた。【選択図】      図７
2005215958.tif 000002
【特許請求の範囲】
【請求項１】
対象物に取り付けられた無線タグに対して情報の書き込み及び読み出しの少なくとも一方を行う無線タグ通信装置において、前記無線タグと通信を行う通信部と、前記通信部を介して無線タグに対する情報の書き込みまたは読み出しを行う制御部と、無線タグに書き込む情報または無線タグから読み込んだ情報を記憶する記憶部と、前記対象物との接触を検知する接触センサと、前記通信部、前記制御部、前記記憶部及び前記接触センサを収容する筐体とを備え、前記筐体が前記無線タグの近傍に配置され前記接触センサにより対象物との接触が検知された際に、前記無線タグに対して情報の書き込みまたは読み出しを行うことを特徴とする無線タグ通信装置。
【請求項２】
対象物に取り付けられた無線タグに対して情報の書き込み及び読み出しの少なくとも一方を行う無線タグ通信装置において、前記無線タグと通信を行う通信部と、前記通信部を介して無線タグに対して情報の書き込みまたは読み出しを行う制御部と、無線タグに書き込む情報または無線タグから読み込んだ情報を記憶する記憶部と、前記対象物に押圧されて印影を形成する印面部と、前記通信部、前記制御部、前記記憶部及び前記印面部を収容する筐体と、前記筐体に設けられて使用者が把持して対象物に前記印面部を押圧する把持部とを備えたことを特徴とする無線タグ通信装置。
【請求項３】
前記印面部によって前記対象物に印影を形成する際に、前記制御部が前記無線タグ対して情報の書き込みまたは読み出しを行うことを特徴とする請求項２に記載の無線タグ通信装置。
【請求項４】
前記対象物と前記印面部とが所定の押圧力で押印されたことを検知する接触センサを設けたことを特徴とする請求項３に記載の無線タグ通信装置。
【請求項５】
前記制御部は前記接触センサにより前記対象物と前記印面部との接触を検知した際に前記無線タグに対して情報の書き込みまたは読み出しを行うことを特徴とする請求項４に記載の無線タグ通信装置。
【請求項６】
前記印面部を前記筐体に対して着脱可能に設けたことを特徴とする請求項２〜請求項５のいずれかに記載の無線タグ通信装置。
【請求項７】
前記記憶部には前記印面部に形成された印面に対応して前記無線タグに書き込まれる情報が記憶され、前記制御部は該情報を前記記憶部から抽出して前記無線タグに書き込むことを特徴とする請求項６に記載の無線タグ通信装置。
【請求項８】
前記印面部を識別する識別情報を記憶する印面部識別情報記憶部を前記印面部に設けたことを特徴とする請求項６または請求項７に記載の無線タグ通信装置。
【請求項９】
前記印面部を管理する管理情報を記憶する印面部管理情報記憶部を前記印面部に設けたことを特徴とする請求項８に記載の無線タグ通信装置。
【請求項１０】
前記印面部識別情報記憶部は無線タグにより構成される印面部識別情報記憶用無線タグから成ることを特徴とする請求項８または請求項９に記載の無線タグ通信装置。
【請求項１１】
前記記憶部を前記印面部に設けるとともに、前記印面部識別情報記憶部を前記記憶部に設けたことを特徴とする請求項６〜請求項１０のいずれかに記載の無線タグ通信装置。
【請求項１２】
前記記憶部に対して外部から情報の書き込みまたは読み出しを行う通信インターフェースを備えたことを特徴とする請求項１〜請求項１１のいずれかに記載の無線タグ通信装置。
【請求項１３】
前記制御部は前記無線タグに書き込まれる付加情報を生成する付加情報生成部を備えたことを特徴とする請求項１〜請求項１２のいずれかに記載の無線タグ通信装置。
【請求項１４】
前記付加情報は日付情報、時刻情報または書き込み回数情報から成ることを特徴とする請求項１３に記載の無線タグ通信装置。
【請求項１５】
前記無線タグに対する情報の書き込みまたは読み出しを切り替える切替手段を設けたことを特徴とする請求項１〜請求項１４のいずれかに記載の無線タグ通信装置。
【請求項１６】
前記無線タグに対する書き込みまたは読み出しの成功または失敗を報知する報知手段を設けたことを特徴とする請求項１〜請求項１５のいずれかに記載の無線タグ通信装置。
【発明の詳細な説明】
【技術分野】
【０００１】
本発明は、無線タグとの間で情報通信を行う無線タグ通信装置に関する。
【背景技術】
【０００２】
近年、ＲＦＩＤ（Radio Frequency Identification）と呼ばれる無線タグを用い、非接触で情報の送受信を行う自動認識システムが使用されている。特許文献１にはこの無線タグを取り付けた印字用紙に印刷を行うプリンタが開示されている。このプリンタは印字用紙に印刷を行うとともに、印字用紙に設けられた無線タグに情報の書き込みを行う無線タグ通信装置になっている。これにより、印字用紙に印刷する際に無線タグにデジタルデータを記録し、例えばソフトウェアとマニュアルとを一体化して利便性を向上することができる。
【０００３】
また、同特許文献１にはこの無線タグを取り付けた印字用紙の複写を行う複写機やファクシミリ送信を行うファクシミリ装置が開示されている。この複写機及びファクシミリ装置は複写やファクシミリ送信を行う際に原稿の印字用紙に設けられた無線タグから情報を読み出す。そして、読み出した情報は、複製して出力される印字用紙の無線タグへ書き込まれる。また、複写やファクシミリ送信を行う際に操作者のＩＤ番号を原稿の印字用紙の無線タグに追加して書き込むこともできる。これにより、操作者の管理等を行うことができるようになっている。
【特許文献１】特開２００２−３３７４２６号公報（第２頁−第７頁、第５図）
【発明の開示】
【発明が解決しようとする課題】
【０００４】
しかしながら、上記従来のプリンタ、複写機、ファクシミリ装置等の無線タグ通信装置によると、印刷が完了した印字用紙の無線タグに情報を追加して書き込む場合に、複写やファクシミリ送信等の操作を行う必要があり、容易に書き込むことができない問題があった。また、無線タグに記憶された情報を容易に読み出すことができない問題もあった。
【０００５】
本発明は、印字用紙等の対象物に設けられた無線タグに対して簡単に情報の書き込みや読み出しのできる無線タグ通信装置を提供することを目的とする。
【課題を解決するための手段】
【０００６】
上記目的を達成するために請求項１に係る発明は、対象物に取り付けられた無線タグに対して情報の書き込み及び読み出しの少なくとも一方を行う無線タグ通信装置において、前記無線タグと通信を行う通信部と、前記通信部を介して無線タグに対する情報の書き込みまたは読み出しを行う制御部と、無線タグに書き込む情報または無線タグから読み込んだ情報を記憶する記憶部と、前記対象物との接触を検知する接触センサと、前記通信部、前記制御部、前記記憶部及び前記接触センサを収容する筐体とを備え、前記筐体が前記無線タグの近傍に配置され前記接触センサにより対象物との接触が検知された際に、前記無線タグに対して情報の書き込みまたは読み出しを行うことを特徴としている。
【０００７】
この構成によると、印字用紙等の対象物に取り付けられた無線タグの近傍に筐体が配置され、対象物との接触を接触センサが検知すると、制御部の制御によって例えば、記憶部に記憶された情報を取り出して通信部を介して送信される。送信された情報は対象物に設けられた無線タグにより受信され、無線タグに情報が書き込まれる。また、接触センサが検知すると制御部の制御によって例えば、対象物に設けられた無線タグに記憶された情報を通信部で受信して記憶部に格納する。
【０００８】
また請求項２に係る発明は、対象物に取り付けられた無線タグに対して情報の書き込み及び読み出しの少なくとも一方を行う無線タグ通信装置において、前記無線タグと通信を行う通信部と、前記通信部を介して無線タグに対して情報の書き込みまたは読み出しを行う制御部と、無線タグに書き込む情報または無線タグから読み込んだ情報を記憶する記憶部と、前記対象物に押圧されて印影を形成する印面部と、前記通信部、前記制御部、前記記憶部及び前記印面部を収容する筐体と、前記筐体に設けられて使用者が把持して対象物に前記印面部を押圧する把持部とを備えたことを特徴としている。
【０００９】
この構成によると、把持部を把持して印字用紙等の対象物に印面部を押圧すると対象物に印影が形成される。この時、制御部の制御によって例えば、記憶部に記憶された情報を取り出して通信部を介して送信される。送信された情報は対象物に設けられた無線タグにより受信され、無線タグに情報が書き込まれる。また、制御部の制御によって例えば、対象物に設けられた無線タグに記憶された情報を通信部で受信して記憶部に格納する。尚、対象物と印面部とを接触させずに印影を形成しない場合においても、無線タグ通信装置を対象物に接近させることによって無線タグに対して情報の書き込みや読み出しを行ってもよい。
【００１０】
また請求項３に係る発明は、上記構成の無線タグ通信装置において、前記印面部によって前記対象物に印影を形成する際に、前記制御部が前記無線タグ対して情報の書き込みまたは読み出しを行うことを特徴としている。この構成によると、対象物に押印すると略同時に無線タグに対して書き込みまたは読み出しが行われる。
【００１１】
また請求項４に係る発明は、上記構成の無線タグ通信装置において、前記対象物と前記印面部とが所定の押圧力で押圧されたことを検知する接触センサを設けたことを特徴としている。この構成によると、対象物と印面部とが所定の押圧力で押圧された際に無線タグとの通信を行うことができる。
【００１２】
また請求項５に係る発明は、上記構成の無線タグ通信装置において、前記制御部は前記接触センサにより前記対象物と前記印面部との接触を検知した際に前記無線タグに対して情報の書き込みまたは読み出しを行うことを特徴としている。この構成によると、印面部が印字用紙等の対象物に接触すると制御部がウェイク状態になり無線タグとの通信を行う。また、印面部が印面を形成する装置の設置部に設置されると接触センサの検知によって制御部の制御により該装置と通信して情報の書き込みや読み出しが行われる。
【００１３】
また請求項６に係る発明は、上記構成の無線タグ通信装置において、前記印面部を前記筐体に対して着脱可能に設けたことを特徴としている。この構成によると、印面部を交換して異なる印影を対象物に形成することができる。
【００１４】
また請求項７に係る発明は、上記構成の無線タグ通信装置において、前記記憶部には前記印面部に形成された印面に対応して前記無線タグに書き込まれる情報が記憶され、前記制御部は該情報を前記記憶部から抽出して前記無線タグに書き込むことを特徴としている。この構成によると、複数の印面部の印面を形成する際等に各印面部に応じた情報が記憶部に記憶される。対象物に設けられた無線タグに情報を書き込む際に、装着された印面部に応じた情報が記憶部から取り出されて書き込まれる。
【００１５】
また請求項８に係る発明は、上記構成の無線タグ通信装置において、前記印面部を識別する識別情報を記憶する印面部識別情報記憶部を前記印面部に設けたことを特徴としている。この構成によると、各印面部の識別情報が印面部識別情報記憶部から取り出され、無線タグに書き込む情報を識別情報に基づいて記憶部から抽出する。
【００１６】
また請求項９に係る発明は、上記構成の無線タグ通信装置において、前記印面部を管理する管理情報を記憶する印面部管理情報記憶部を前記印面部に設けたことを特徴としている。この構成によると、各印面部の管理情報が印面部管理情報記憶部から取り出され、印面部が管理される。管理情報は印面部の使用時間等から成る。
【００１７】
また請求項１０に係る発明は、上記構成の無線タグ通信装置において、前記印面部識別情報記憶部は無線タグにより構成される印面部識別情報記憶用無線タグから成ることを特徴としている。この構成によると、通信部によって対象物に設けられた無線タグ及び印面部識別情報記憶用無線タグから成る印面部管理情報記憶部との通信が行われる。
【００１８】
また請求項１１に係る発明は、上記構成の無線タグ通信装置において、前記記憶部を前記印面部に設けるとともに、前記印面部識別情報記憶部を前記記憶部に設けたことを特徴としている。この構成によると、印面部に設けられた記憶部から情報を取り出して対象物に設けられた無線タグに書き込まれる。
【００１９】
また請求項１２に係る発明は、上記構成の無線タグ通信装置において、前記記憶部に対して外部から情報の書き込みまたは読み出しを行う通信インターフェースを備えたことを特徴としている。この構成によると、通信インターフェースを介してパーソナルコンピュータ等が無線タグ通信装置に接続され、記憶部に記憶する情報の入力や記憶部に記憶された情報の読み出しが行われる。通信インターフェースは有線であっても無線であってもよい。
【００２０】
また請求項１３に係る発明は、上記構成の無線タグ通信装置において、前記制御部は前記無線タグに書き込まれる付加情報を生成する付加情報生成部を備えたことを特徴としている。この構成によると、記憶部から取り出されたユーザ入力に基づく情報に加えて、付加情報生成部で生成された付加情報を制御部により付加して無線タグへの書き込みが行われる。
【００２１】
また請求項１４に係る発明は、上記構成の無線タグ通信装置において、前記付加情報は日付情報、時刻情報または書き込み回数情報から成ることを特徴としている。
【００２２】
また請求項１５に係る発明は、上記構成の無線タグ通信装置において、無線タグに対する情報の書き込みまたは読み出しを切り替える切替手段を設けたことを特徴としている。この構成によると、ユーザーは情報の書き込みまたは読み出しを切替手段により切り替える。
【００２３】
また請求項１６に係る発明は、上記構成の無線タグ通信装置において、前記無線タグに対する書き込みまたは読み出しの成功または失敗を報知する報知手段を設けたことを特徴としている。この構成によると、例えば無線タグに対する書き込みが正常に行われないときはＬＥＤや音声等によって報知される。
【発明の効果】
【００２４】
請求項１に係る発明によると、筐体を把持して印字用紙等の対象物に接触させることにより、対象物に取り付けられた無線タグに対して容易に情報の書き込みや読み出しを行うことができる。
【００２５】
また請求項２に係る発明によると、把持部を把持して印面部を印字用紙等対象物に押圧し、対象物に印影を形成すると無線タグと通信が行われる。従って、容易に印影の形成と無線タグに対する情報の書き込みや読み出しを行うことができる。また、無線タグ通信装置を対象物に接近させると無線タグと通信が行われ、印影を形成しない場合においても容易に無線タグに対して情報の書き込みや読み出しを行うことができる。
【００２６】
また請求項３に係る発明によると、対象物に印影を形成する際に無線タグ対して情報の書き込みまたは読み出しを行うので、押印する際に略同時に情報の書き込みや読み出しが行われて使用性が向上する。
【００２７】
また請求項４に係る発明によると、対象物と印面部とが所定の押圧力で押圧されたことを検知する接触センサを設けたので、押印を容易に検知することができる。
【００２８】
また請求項５の発明によると、接触センサにより対象物と印面部との接触を検知した際に制御部は無線タグに対して情報の書き込みまたは読み出しを行うので、対象物と印面部とが非接触の時に制御部をスリープ状態にして省電力化を図ることができる。また、目的の無線タグだけに対して確実に書き込みまたは読み出しを行うことができる。
【００２９】
また請求項６に係る発明によると、印面部を筐体に対して着脱可能に設けたので、印面部以外の構成を利用して用途に応じて異なる印影を形成することができる。
【００３０】
また請求項７に係る発明によると、記憶部は無線タグに書き込む情報を印面部に応じて記憶し、その情報を制御部により抽出するので、印影に応じて異なる情報を無線タグに書き込むことができる。
【００３１】
また請求項８に係る発明によると、印面部の識別情報を記憶する印面部識別情報記憶部を印面部に設けたので、識別情報の判別によって記憶部から印面部に応じた情報を容易に取り出すことができる。
【００３２】
また請求項９に係る発明によると、印面部の管理情報を記憶する印面部管理情報記憶部を印面部に設けたので、管理情報の判別によって容易に印面部を管理することができる。
【００３３】
また請求項１０に係る発明によると、印面部識別情報記憶部は無線タグにより構成される印面部識別情報記憶用無線タグから成るので、通信部によって識別情報の書き込みや読み出しを容易に行うことができる。
【００３４】
また請求項１１に係る発明によると、記憶部を印面部に設けるとともに印面部識別情報記憶部を記憶部に設けたので、交換可能な各印面部に応じた情報を本体側から取り出す必要がなく、構成を簡素化してコスト削減を図ることができる。
【００３５】
また請求項１２に係る発明によると、記憶部に対して外部から情報の書き込みまたは読み出しを行う通信インターフェースを備えたので、パーソナルコンピュータ等によって容易に無線タグに書き込む情報を記憶部に記憶することができるとともに、無線タグから読み出した情報を容易に記憶部から取り出すことができる。
【００３６】
また請求項１３、１４に係る発明によると、制御部は無線タグに書き込まれる付加情報を生成する付加情報生成部を備えたので、無線タグに情報を書き込む際に日付情報、時刻情報、書き込み回数情報等の付加情報をユーザ入力することなく付加して書き込むことができる。
【００３７】
また請求項１５に係る発明によると、無線タグに対する情報の書き込みまたは読み出しを切り替える切替手段を設けたので、用途に応じて無線タグ通信装置を容易に使い分けることができる。
【００３８】
また請求項１６に係る発明によると、無線タグに対する書き込みまたは読み出しの成功または失敗を報知する報知手段を設けたので、使用者が書き込みや読み出しの結果を容易に知ることができる。
【発明を実施するための最良の形態】
【００３９】
以下に本発明の実施形態を図面を参照して説明する。図１は第１実施形態の無線タグ通信装置の使用状態を示す斜視図である。本実施形態の無線タグ通信装置はスタンプ１から成っている。スタンプ１は印字用紙１００に押圧して使用される。図２に示すように印字用紙１００は文字１００ａ等の画像が印刷され、左上に無線タグ１０１が取り付けられている。スタンプ１の押圧によって図３に示すように印影１０２が形成される。この時、詳細を後述するように、無線タグ１０１には所定の情報が書き込まれるようになっている。
【００４０】
図４（ａ）は無線タグ１０１の一般的な構成を示すブロック図である。無線タグ１０１はコイルアンテナ１１０を有し、外部と通信可能になっている。コイルアンテナ１１０には復号化回路１１２及び符号化回路１１３が接続されており、交信周波数として１３ＭＨｚ帯、１２５ｋＨｚ帯が用いられる。復号化回路１１２及び符号化回路１１３は交信制御部１１４の制御によって送受信したデータの復号化及び符号化を行う。
【００４１】
また、無線タグ１０１は交信制御部１１４に制御されるメモリ１１６を有し、復号化したデータの格納を行う。格納されたデータは交信制御部１１４により取り出され、符号化して送信可能になっている。メモリ１１６はＥＥＰＲＯＭ等の不揮発性メモリで構成され、メモリ１１６に格納されたデータの内容を保持することができる。尚、コイルアンテナ１１０を介して受信した電力は電源部１１１に蓄えられ、符号化回路１１３、複合化回路１１２、交信制御部１１４、メモリ１１６に供給される。更に高い交信周波数として９００ＭＨｚ帯や２．４５ＧＨｚ帯を用いる場合は、図４（ｂ）に示すようにダイポールアンテナ１１８とダイオード等を用いた変復調回路１１５を介して通信を行う。
【００４２】
図５はスタンプ１の正面断面図を示している。スタンプ１はスカート部２及び把持部５から成る筐体９に印面部４が収容されている。スカート部２は印影形成時にスタンプ１全体を支持する。印面部４はスカート部２内で上下方向に摺動可能に保持され、印影を形成する画像が印刷された印面３が下面に設けられている。印面部４の印面３の背後にはインク６が貯溜されている。
【００４３】
把持部５は印影形成時に使用者が把持し、印面部４を印字用紙１００（図１参照）に押圧できるようになっている。把持部５の上部内壁にはスタンプ１を制御する制御部１２（図６参照）を有した回路基板１０が設けられて筐体９内に収容されている。回路基板１０には筐体９の上方から視認可能に把持部５の上部にＬＥＤ１１が配設されている。
【００４４】
図６はスタンプ１の構成を示すブロック図である。回路基板１０（図５参照）上には、上記ＬＥＤ１１、制御部１２の他、通信インターフェース１３、通信部１８及び電池１９が設けられている。制御部１２はスタンプ１の各部を制御してデータ通信やデータの書込みまたは読出し等を行う。
【００４５】
また制御部１２はメモリ１４、カウンタ部１５、クロック部１６及びカレンダー部１７を有している。メモリ１４（記憶部）は無線タグ１０１から読み出した情報や通信インターフェース１３を介して取り込まれた情報を格納する。カウンタ部１５は無線タグ１０１に情報を書き込んだ回数を計数する。クロック部１６は時間を計時して時刻情報を発生する。カレンダー部１７は日付情報を発生する。カウンタ部１５、クロック部１６及びカレンダー部１７はユーザ入力された情報に付加して無線タグ１０１に書き込む情報を生成する付加情報生成部を構成している。
【００４６】
ＬＥＤ１１（報知手段）は制御部１２の制御により点灯、消灯、点滅してスタンプ１の動作状態を報知する。ＬＥＤ１１等の照明の点灯以外にもブザー等の音声により動作状態を報知してもよい。通信インターフェース１３は把持部５の上面に露出可能に配置され、パーソナルコンピュータ６２や後述するスタンプ作成装置３１（図７参照）等の外部機器との間でデータ通信を行うことができるようになっている。通信インターフェース１３は無線によってデータ通信を行うものでもよい。
【００４７】
通信部１８には印面部４の下部の周囲に配されたアンテナ２１が接続され、制御部１２の制御によって無線タグ１０１（図１参照）との通信を行う。アンテナ２１はダイポールアンテナから成っている。電池１９はスタンプ１の各部に電力を供給する。尚、把持部５の下面には、印面部４の印面３と印字用紙１００（図１参照）との接触を検知する接触センサ２０が設けられている。接触センサ２０は押圧センサ等から成り、制御部１２に接続されている。
【００４８】
図７はスタンプ１の印面部４に印面３を形成するスタンプ作成装置を示している。スタンプ作成装置３１は装置本体３２にケーブル６３を接続する外部インターフェース８１（図１０参照）が設けられる。外部インターフェースに接続されたケーブル６３を介してパーソナルコンピュータ６２を装置本体３２に接続できるようになっている。装置本体３２にはフィルムマガジン装着口３３、印刷部３５、印面形成部３６、排出口３７が設けられる。
【００４９】
フィルムマガジン装着口３３は原稿フィルム３４を収納するフィルムマガジン６１を装着する。印刷部３５は原稿フィルム３４の印刷を行う。印面形成部３６はカバー３９で覆われ、原稿フィルム３４に印刷された画像に基づいてスタンプ１の印面３を形成する。排出口３７は原稿フィルム３４の排出を行う。また、装置本体３２の上面にはデータの入力操作や表示操作を行う操作部４０が設けられる。装置本体３２の側面にはキセノン管４９（図１０参照）を有する発光ユニット３８が着脱自在に設けられる。
【００５０】
図８は印面形成部３６の内部を示している。カバー３９を開くとスタンプ１を設置する設置部４３が露出する。設置部４３は下面に透明アクリル板から成るステージ４２が設けられている。ステージ４２の下方に発光ユニット３８（図７参照）のキセノン管４９（図１０参照）が配置されている。
【００５１】
カバー３９の内面には押圧板４４が設けられている。スタンプ１はステージ４２上に載置され、カバー３９を閉じることによって押圧板４４が把持部５を押圧する。これにより、印面部４がステージ４２に押しつけられ、印面３（図５参照）が所定量圧縮される。また、カバー３９の裏面には接続端子４１が配置され、カバー３９を閉じることによって接続端子４１が通信インターフェース１３に接続される。これにより、スタンプ作成装置３１とスタンプ１との間でデータ通信を行うことができるようになっている。
【００５２】
図９はスタンプ作成装置３１の概略を示す側面断面図である。印刷部３５には、元巻ロール４５ａに巻設されて巻取ロール４５ｂにより巻き取られる熱転写リボン４６が配されている。熱転写リボン４６の上方にはサーマルヘッド４４が配され、下方にはプラテン４７が配される。サーマルヘッド４４とプラテン４７との間に搬送される原稿フィルム３４がサーマルヘッド４４の押圧によって熱転写リボン４６から熱転写され、所定の画像を形成できるようになっている。また、サーマルヘッド４４の下流側には一対の供給ローラ４８が設けられている。
【００５３】
図１０はスタンプ作成装置３１の構成を示すブロック図である。スタンプ形成装置３１の全体動作はＣＰＵ８０により制御される。ＣＰＵ８０には、外部インターフェース８１、スタンプインターフェース制御回路８２、サーマルヘッド制御回路８３、ＲＯＭ８４と、ＲＡＭ８５、ＥＥＰＲＯＭ８６、ステップモータ制御回路８７、キセノン管発光制御回路８８、液晶ディスプレイ５１、タイマ８９、操作部４０、フォトセンサ５２、５３が接続されている。
【００５４】
外部インターフェース８１はパーソナルコンピュータ６２とデータをやり取りする。スタンプインターフェース制御回路８２はスタンプ１とデータをやり取りする。サーマルヘッド制御回路８３はサーマルヘッド４４を駆動制御する。ＲＯＭ８４は各種の制御処理プログラムが記憶され、制御処理プログラムに従ってＣＰＵ８０が各種の動作を行う。
【００５５】
ＲＡＭ８５にはＣＰＵ８０により演算された演算結果等が一時的に記憶される。ＥＥＰＲＯＭ８６には各種の設定情報等をユーザによる書き換え可能に記憶している。ステップモータ制御回路８７は原稿フィルム３４を搬送するためのステップモータ５０の駆動動作を制御する。キセノン管発光制御回路８８はキセノン管４９の発光を制御する。
【００５６】
液晶ディスプレイ５１は操作部４０の近傍に設けられ、スタンプ作成装置３１の動作状態をユーザに知らせる。タイマ８９はクロック信号発生装置（不図示）からのクロック信号を受信して、ＣＰＵ８０の命令に従って時間を計測する計時機能を有している。フォトセンサ５２、５３はスタンプ１の設置やカバー３９の閉成を検知する。
【００５７】
上記構成のスタンプ作成装置３１によるスタンプ１の印面形成及びスタンプ１とのデータ通信を行う動作を図１１のフローチャートを参照して説明する。パーソナルコンピュータ６２からスタンプ作成装置３１を動作させる命令を受けると、ステップ＃１１において印面形成を行うか否かが判断される。印面形成しない場合はステップ＃２２に移行する。
【００５８】
印面形成する場合はステップ＃１２に移行し、パーソナルコンピュータ６２から印面を形成するための画像データから成る印面データを受信する。ステップ＃１３ではキセノン管４９の発光用コンデンサ（不図示）に充電が開始される。ステップ＃１４ではサーマルヘッド４４及びステップモータ５０が駆動される。
【００５９】
ステップモータ５０により、巻取ロール４５ｂ、プラテン４７、供給ローラ４８が回転駆動され、原稿フィルム３４がサーマルヘッド４４とプラテン４７との間に送られる。原稿フィルム３４はサーマルヘッド４４とプラテン４７に挟まれて熱転写リボン４６に押圧される。そして、サーマルヘッド４４で熱転写リボン４６を溶融して、受信した印面データに従って原稿フィルム３４の上面にポジ原稿が印刷される。
【００６０】
ステップ＃１５では印刷された原稿フィルム３４が所定の製版位置に到達するようにステップモータ５０が駆動される。ステップ＃１６では原稿フィルム３４が正常に製版位置に到達したか否かが判断される。原稿フィルム３４が正常に製版位置に到達しなかった場合はスタンプ作成装置３１の動作を終了する。
【００６１】
原稿フィルム３４が正常に製版位置に到達した場合はステップ＃１７でタイマ８９により時間計時が開始される。ステップ＃１８ではタイマ８９の計時が所定時間経過したか否かが判断される。タイマ８９の計時が所定時間経過していない場合はステップ＃１９でスタンプ１が設置部４３に設置されたか否かがフォトセンサ５２により判断される。スタンプ１が設置部４３に設置されていない場合はステップ＃１８に戻る。
【００６２】
スタンプ１が設置部４３に設置された場合はステップ＃２０で発光用コンデンサの充電が完了したか否かが判断される。発光用コンデンサの充電が完了していない場合はステップ＃１８に戻る。そして、タイマ８９の計時が所定時間経過するまでの間にスタンプ１が設置部４３に設置され、発光用コンデンサの充電が完了するとステップ＃２１に移行する。これらが所定時間内に行われない場合はステップ＃１８の判断によりスタンプ作成装置３１の動作を終了する。
【００６３】
ステップ＃２１ではキセノン管発光回路８８に発光命令が出されてキセノン管４９の発光が行われる。これにより、スタンプ１の印面部４の印面３が製版され、所望の印面が形成される。
【００６４】
次に、ステップ＃２２では図１２に示す無線タグデータ通信処理が呼び出される。無線タグデータ通信処理は、無線タグ１０１に書き込むデータをスタンプ１に記憶させる動作と、無線タグ１０１から読み出してスタンプ１のメモリに格納されたデータを取り出す動作とを行うことができる。
【００６５】
無線タグデータ通信処理のステップ＃３１では設置部４３にスタンプ１が設置されているか否かが判別される。スタンプ１が設置されていない場合は無線タグデータ通信処理を終了する。ステップ＃３２ではスタンプ１のメモリ１４に対して書き込みを行うか読み出しを行うが判断される。
【００６６】
メモリ１４に対して書き込みを行う場合はステップ＃３３に移行し、無線タグ１０１に対して書き込む書込用データをパーソナルコンピュータ６２から受信する。書込用データは押印者の所属、氏名、権限等のデータから成る。ステップ＃３４ではスタンプ１のセットアップデータをパーソナルコンピュータ６２から受信する。
【００６７】
セットアップデータはカウンタ部１５により計数される書込回数のリセット、書込回数の開始値の指定、クロック部１６及びカレンダー部１７の時刻情報や日付情報のセット等のデータから成る。書込回数情報、時刻情報、日付情報等の付加情報は書込用データを無線タグ１０１に書き込む際に付加して書き込まれる。
【００６８】
また、印字用紙１００の複写時に無線タグ１０１に記憶されたデータの複写を許可することを指示するデータ、書込用データからデータを選択して書き込みを許可することを指示するデータ、書込用データを無線タグ１０１に書き込む際に付加情報を付加するか否かを指示するデータ（付加情報指示情報）もセットアップデータに含まれる。
【００６９】
ステップ＃３５では書込用データがスタンプ１のメモリ１４に転送される。ステップ＃３６ではセットアップデータがスタンプ１のメモリ１４に転送され、終了する。
【００７０】
メモリ１４に対して読み出しを行う場合はステップ＃３２の判断によりステップ＃３８に移行する。ステップ＃３８ではスタンプ１のメモリ１４からデータを読み出す。ステップ＃３９では読み出したデータがパーソナルコンピュータ６２に送信され、終了する。
【００７１】
尚、既に印面３が形成されたスタンプ１を設置部４３に設置して、無線タグデータ通信処理を行うことによってメモリ１４に対するデータの書き込みや読み出しを行うことができる。また、無線タグデータ通信処理のプログラムをパーソナルコンピュータ６２にインストールすることにより、スタンプ１の通信インターフェース１３とパーソナルコンピュータ６２とを接続してメモリ１４に対するデータの書き込みや読み出しを行うことができる。また、スタンプ作成装置３１は操作部４０の操作によって液晶ディスプレイ５１にデータ表示して、パーソナルコンピュータ６２と接続しなくても図１１、図１２に示す動作を実行できるようになっている。
【００７２】
次に、スタンプ１の動作を図１３のフローチャートを参照して説明する。スタンプ１の制御部１２は接触センサ２０やカウンタ部１６、カレンダー部１７のみが動作可能なようにスリープ状態になっている。ステップ＃５１で接触センサ２０により印面部４の接触を検知するとステップ＃５２で制御部１２はスタンプ１全体を動作可能なウェイク状態になる。
【００７３】
ステップ＃５３では通信インターフェース１３の接続状況によってスタンプ作成装置３１やパーソナルコンピュータ６２等の外部機器とデータのやり取りを行うか否かが判断される。外部機器とデータ通信を行う場合はステップ＃７１に移行する。ステップ＃７１では前述の図１２の無線タグデータ通信処理に基づいて、外部機器からデータを受信してメモリ１４にデータが書き込まれる。また、メモリ１４からデータを読み出して外部機器に送信される。
【００７４】
尚、通信インターフェース１３を接続した際に制御部１２をウェイク状態にしてもよい。また、外部機器とのデータ通信を終了して接触センサ２０が非接触を検知した際に制御部１２はスリープ状態に移行するようになっている。
【００７５】
外部機器とデータ通信を行わない場合は、印字用紙１００に印影が形成され、印字用紙１００に取り付けられた無線タグ１０１と通信を行う。ステップ＃５４では無線タグ１０１を１個だけ検出したか否かが判断される。無線タグ１０１を複数検出すると、書き込み相手の無線タグ１０１の動作が不安定になるためステップ＃７７に移行し、ＬＥＤ１１を点滅する。その後、ステップ＃６４で所定時間経過を待機してステップ＃６５でＬＥＤ１１を消灯し、ステップ＃６６でスリープ状態に戻る。尚、無線タグ１０１を検出しない場合は所定時間経過後スリープ状態に戻るようになっている。
【００７６】
無線タグ１０１の検出が１個の場合はステップ＃５５に移行する。ステップ＃５５ではメモリ１４に記憶されたデータが読み出される。これにより、書込用データ及びセットアップデータが取り出される。
【００７７】
ステップ＃５６ではセットアップデータに基づいて無線タグ１０１にデータを書き込むか否かが判断される。データの書き込みのみ、読み出しのみ、書き込み及び読み出しを切り替える切替スイッチ２７（切替手段）をスタンプ１に設け、切替スイッチ２７の状態によりステップ＃５６の判断を行ってもよい。
【００７８】
無線タグ１０１にデータを書き込まない場合はステップ＃５９に移行する。無線タグ１０１にデータを書き込む場合はステップ＃５７に移行してメモリ１４から読み出したデータを通信部１８及びアンテナ２１を介して送信して無線タグ１０１に書き込む。これにより、セットアップデータに基づいて書込用データ及び付加情報が無線タグ１０１に書き込まれる。ステップ＃５８では無線タグ１０１に書き込まれたデータのベリファイを行い正常に書き込まれたか否かを判別する。
【００７９】
これにより、無線タグ１０１に押印者の承認情報、押印日時または押印回数等の情報を書き込むことができる。また、カタログ等に押印する場合には、販売店の電話番号、ＵＲＬ、メールアドレス、住所、担当者等の情報を書き込むことができる。
【００８０】
無線タグ１０１に正常に書き込まれなかった場合はステップ＃７６で書込回数を計数し、ステップ＃５７に戻って繰り返し書き込みが行われる。ステップ＃７６の判断により所定回数の書き込みを行っても正常に書き込まれなかった場合はステップ＃７７に移行する。ステップ＃７７ではＬＥＤ１１を点滅して書き込みが正常に行われなかったことを使用者に報知する。ＬＥＤ１１に替えて液晶パネルや有機ＥＬ等から成るディスプレイにより報知してもよい。そして、ステップ＃６４に移行する。ステップ＃６４で所定時間の経過を待機してステップ＃６５でＬＥＤ１１を消灯し、ステップ＃６６でスリープ状態に戻る。
【００８１】
ステップ＃５８で無線タグ１０１にデータが正常に書き込まれた場合はステップ＃５９に移行してセットアップデータに基づいて無線タグ１０１のデータの読み出しを行うか否かが判断される。無線タグ１０１のデータの読み出しを行わない場合はステップ＃６２に移行する。無線タグ１０１のデータの読み出しを行う場合はステップ＃６０で無線タグ１０１に記憶されたデータを受信する。これにより、どの書類にスタンプ１を押したかをスタンプ１側で管理することができる。
【００８２】
ステップ＃６１では受信したデータをメモリ１４に書き込む。ステップ＃６２では正常にデータ通信が終了したことを示すＬＥＤ１１を点灯する。これにより、正常に書き込みや読み出しが行われたことを使用者に報知する。尚、無線タグ１０１への書き込み時と同様に、無線タグ１０１のデータの読出しが正常に行えなかった場合にはＬＥＤ１１を点滅させるようにしてもよい。
【００８３】
ステップ＃６３ではカウンタ部１５の計数のインクリメント等を行って付加情報が更新される。ステップ＃６４では所定時間が経過するまで待機する。これにより、印面部４と印字用紙１００との離隔を待機する。そして、ステップ＃６５でＬＥＤ１１が消灯してステップ＃６６で制御部１２がスリープ状態になり、ステップ＃５１に戻る。
【００８４】
本実施形態によると、把持部５を把持して印面部４を印字用紙１００に押圧し、印字用紙１００に印影１０２を形成すると無線タグ１０１と通信が行われる。従って、容易に無線タグ１０１に対して情報の書き込みや読み出しを行うことができる。
【００８５】
尚、スタンプ１の制御部１２が常にウェイク状態になるように切り替える制御部切替スイッチを設けてもよい。これにより、通常はスリープ状態にして省電力化を図ることができるとともに、印字用紙１００と非接触状態で無線タグ１０１に対して情報の書き込みや読み出しを行うことができる。
【００８６】
次に、図１４は第２実施形態の無線タグ通信装置を示す側面断面図である。説明の便宜上、前述の図５、図６に示す第１実施形態と同一の部分は同一の符号を付している。第１実施形態と異なる点は、スタンプ１は印面部４が着脱可能になっている。また、把持部５には交換センサ２２が設けられ、印面部４には印面部識別情報記憶部２３が設けられている。その他の部分は第１実施形態と同様である。
【００８７】
交換センサ２２は押圧センサから成っており、印面部４を交換する際に印面部４の装着を検知する。印面部識別情報記憶部２３は無線タグにより構成される印面部識別情報記憶部用無線タグから成っており、印面部４の製造時等に製造番号等の識別情報が記憶されている。
【００８８】
スタンプ１の制御部１２はスリープ状態の時に交換センサ２２を動作できるようになっている。そして、スリープ状態で前述の図１３のステップ＃５１で接触センサ２０による対象物との接触を監視するとともに図１５の印面部検査処理の動作が行われる。印面部検査処理ではステップ＃８１で交換センサ２２による印面部４の装着を監視する。
【００８９】
交換センサ２２によって印面部４が装着されたことを検知すると、ステップ＃８２に移行して制御部１２がウェイク状態になる。ステップ＃８３では印面部識別情報記憶部２３に記憶された印面部４の識別情報が読み出される。印面部識別情報記憶部２３が無線タグから成るので、アンテナ２１及び通信部１８を別途設けることなく容易に情報を読み出すことができる。印面部識別情報記憶部２３をＥＥＰＲＯＭ等により構成して把持部５と印面部４との間で端子を接触させてデータ通信を行ってもよい。
【００９０】
ステップ＃８４では装着された印面部４が未使用か否かが判断される。印面部４が未使用の場合はステップ＃８９に移行し、制御部１２がスリープ状態になって図１３のフローチャートに戻る。印面部４が未使用でない場合はステップ＃８５に移行し、識別情報によって印面部４がメモリ１４に登録されているか否かが判断される。
【００９１】
印面部４がメモリ１４に登録されている場合は、メモリ１４から読み出して無線タグ１０１に書き込まれる情報が印面部４に応じて抽出され、メモリ１４内に設定される。これにより、印面部４に応じた情報を無線タグ１０１に書き込むことができる。そして、制御部１２がスリープ状態になって図１３のフローチャートに戻る。
【００９２】
印面部４がメモリ１４に登録されていない場合は、他人の印面部４を装着した場合等の不具合と判断してステップ＃８６でＬＥＤ１１を点滅する。ステップ＃８７では印面部４が脱着されたか否かを判断して印面部４が脱着されるまでＬＥＤ１１の点滅を継続し、印面部４が脱着されるとステップ＃８８でＬＥＤ１１が消灯される。そして、制御部１２がスリープ状態になって図１３のフローチャートに戻る。
【００９３】
本実施形態によると、印面部４を着脱可能にしたので種々の印影を形成できる。また、印面部４の管理情報の判別によってメモリ１４から印面部４に応じた情報を容易に取り出すことができる。
【００９４】
尚、メモリ１４を印面部４に設けてメモリ１４に印面部識別情報記憶部２３を設けてもよい。これにより、印面部４の交換時の検査を必要とせず動作を簡素化できるとともに、スタンプ１の回路基板１０からメモリ１４を省いて構成を簡素化し、スタンプ１のコスト削減を測ることができる。
【００９５】
また、印面部４の使用時間等の管理情報を記憶する印面部管理情報記憶部を印面部識別情報記憶部２３に設けてもよい。これにより、使用時間に応じて印面部４の交換を報知すること等を行って印面部４を管理することができる。
【００９６】
次に、図１６は第３実施形態の無線タグ通信装置を示す側面断面図である。説明の便宜上、前述の図５、図６に示す第１実施形態と同一の部分は同一の符号を付している。本実施形態の無線タグ通信装置２５は第１実施形態のスタンプ１に対して印面部４（図５参照）を省いた構成になっている。これにより、接触センサ２０の検知によって下端の接触面２６が印字用紙１００に押圧されると無線タグ１０１と通信を行ってデータの書き込みや読み出しが行われる。
【００９７】
従って、既に印影を形成した印字用紙１００に配設された無線タグ１０１に対してデータの追記や読み出しを容易に行うことができる。尚、印影を形成しないので接触面２６が対象物に接触していない時には制御部１２が常にスリープ状態になっている。
【００９８】
第１〜第３実施形態において、アンテナ２１はダイポールアンテナから成っているが、図１７に示すように印面部４の印面３または接触面２６の周囲に配されたコイルアンテナから成るアンテナ２１’を設けてもよい。また、図１８に示すように、反射器２１ｂ及び導波器２１ｃ間に配された指向性アンテナ２１ａによってアンテナ２１”を構成してもよい。
【図面の簡単な説明】
【００９９】
【図１】は、本発明の第１実施形態の無線タグ通信装置の使用状態を説明する図である。
【図２】は、本発明の第１実施形態の無線タグ通信装置の使用状態を説明する図である。
【図３】は、本発明の第１実施形態の無線タグ通信装置の使用状態を説明する図である。
【図４】は、無線タグの構成を示すブロック図である。
【図５】は、本発明の第１実施形態の無線タグ通信装置を示す正面断面図である。
【図６】は、本発明の第１実施形態の無線タグ通信装置の構成を示すブロック図である。
【図７】は、本発明の第１実施形態の無線タグ通信装置の印面を形成するスタンプ作成装置を示す斜視図である。
【図８】は、本発明の第１実施形態の無線タグ通信装置の印面を形成するスタンプ作成装置の印面形成部を示す斜視図である。
【図９】は、本発明の第１実施形態の無線タグ通信装置の印面を形成するスタンプ作成装置を側面断面図である。
【図１０】は、本発明の第１実施形態の無線タグ通信装置の印面を形成するスタンプ作成装置の構成を示すブロック図である。
【図１１】は、本発明の第１実施形態の無線タグ通信装置の印面を形成するスタンプ作成装置の動作を示すフローチャートである。
【図１２】は、本発明の第１実施形態の無線タグ通信装置の印面を形成するスタンプ作成装置の無線タグデータ通信処理の動作を示すフローチャートである。
【図１３】は、本発明の第１実施形態の無線タグ通信装置の動作を示すフローチャートである。
【図１４】は、本発明の第２実施形態の無線タグ通信装置の構成を示すブロック図である。
【図１５】は、本発明の第２実施形態の無線タグ通信装置の印面部検査処理の動作を示すフローチャートである。
【図１６】は、本発明の第３実施形態の無線タグ通信装置の構成を示すブロック図である。
【図１７】は、本発明の第１〜第３実施形態の無線タグ通信装置の他の構成を示す底面図である。
【図１８】は、本発明の第１〜第３実施形態の無線タグ通信装置の他の構成を示す斜視図である。
【符号の説明】
【０１００】
１    スタンプ（無線タグ通信装置）
２    スカート部
３    印面
４    印面部
５    把持部
９    筐体
１０    回路基板
１１    ＬＥＤ
１２    制御部
１３    通信インターフェース
１４    メモリ
１５    カウンタ部
１６    クロック部
１７    カレンダー部
１８    通信部
２０    接触センサ
２１、２１’、２１”  アンテナ
２２    交換センサ
２３    印面部管理情報記憶部
２５    無線タグ通信装置
２６    接触面
２７    切替スイッチ
３１    スタンプ作成装置
３５    印刷部
３６    印面形成部
３８    発光ユニット
３９    カバー
４０    操作部
４１    接続端子
４２    ステージ
４３    設置部
４４    サーマルヘッド
４６    熱転写リボン
６１    フィルムマガジン
６２    パーソナルコンピュータ
１００    印字用紙
１０１    無線タグ
１０２    印影
【図１】
2005215958.tif 000003
【図２】
2005215958.tif 000004
【図３】
2005215958.tif 000005
【図４】
2005215958.tif 000006
【図５】
2005215958.tif 000007
【図６】
2005215958.tif 000008
【図７】
2005215958.tif 000009
【図８】
2005215958.tif 000010
【図９】
2005215958.tif 000011
【図１０】
2005215958.tif 000012
【図１１】
2005215958.tif 000013
【図１２】
2005215958.tif 000014
【図１３】
2005215958.tif 000015
【図１４】
2005215958.tif 000016
【図１５】
2005215958.tif 000017
【図１６】
2005215958.tif 000018
【図１７】
2005215958.tif 000019
【図１８】
2005215958.tif 000020